(57)【特許請求の範囲】
【請求項１】
平板で形成したリング状のガイド枠（以下これをガイド枠という）と、このガイド枠の内周面に一定の間隔で取り付けた複数の鋲状突起物とからなるガイドと、直径が約３０ｍｍで競技者の員数分だけ用意された偶数個の的駒（的駒以下これをパックという）とからなり、ガイドの内周に沿ってほぼ円周上に並べたパックが、ガイドの回動につれて鋲状突起物への当りとガイド枠の内周面の案内機能により、整列させられて円周上に規則正しく並べられるカロムのためのパック配置ガイド。
【請求項２】
平板から作られ、その内径は約２７〜２８ｃｍ、外径は約３２〜３３ｃｍのリング状のガイド枠と、ガイド枠の内周面に一定の間隔で複数個取り付けた鋲状突起物とからなるガイドと、直径が約３０ｍｍで競技者の員数分だけ用意された偶数個のパックとからなり、前記パックは、前記ガイドの内周面に沿ってほぼ円周上に並べられ、ガイドの回動につれて前記鋲状突起物への当りとガイド枠の内周面の案内機能により、整列させられて円周上に規則正しく並べられるカロムのためのパック配置ガイド。
【請求項３】
ガイド枠の外周面に指圧用突起物が設けられた請求項１に記載のカロムのためのパック配置ガイド。
【請求項４】
ガイド枠には、その厚み方向に複数個の穴があけられていて、その穴内には鈴がそれぞれ取り付けられている請求項１又は２に記載のカロムのためのパック配置ガイド。
【発明の詳細な説明】
【技術分野】
【０００１】  本発明は、盤上ゲームの一種として知られるカロム、またはそれに類似したゲームを実施するためのゲーム盤において、各競技者の２色に色分けされた円盤状のパックを競技開始時に交互に円周上にすみやかに規則正しく並べるために使用するカロムゲームのための配置ガイドに関する。
【背景技術】
【０００２】  ビリヤードやお弾き遊びに似た盤上ゲームは、カロム、キャロム、その他の名称で世界的にも広く知られ、それらを実施するためのゲーム盤や基本ルールは概して類似するものの、国や地域によって相違点も多くある。また同様のゲーム盤を使用しても異なったルール、独自のルールが採用されている場合もある。【０００３】  例えば、日本のある地方（例えば滋賀県の湖東，湖北地方）で広く遊び継がれているカロムに使用されるカロムゲーム盤は、四角形枠で囲まれた盤面の四隅にパック落とし込み用のポケットが盤面とは段差をおいて設けられ、さらに盤面の中心には、中心駒を競技開始時に配置する位置を指示する中心スポットが表示されている。この中心スポットの外側にはスポットと同心円的に各競技者の識別表示が施された２種類のパックを競技開始時に交互にリング状に配置する位置を指示するセンターサークルが表示され、このセンターサークル外側には、盤面の各側辺に沿って、各競技者の弾き駒を発射する位置を指示するエリアラインが表示され、盤面のエリアライン外側には、盤面の各側辺に対応して各競技者の弾き駒を初回に発射する位置を指示するティースポットが表示されて構成される。【０００４】  このカロムゲーム盤を使用した競技方法は、以下の非特許文献１に記載されるように２名又は２人でペアを組んだ２組の各競技者が、初回は各自の側のティースポット上に、次回以降は各自の側のエリアライン上に配置した自らの弾き駒を弾いて盤面上にある自他のパック及び中心駒に当て、何れかのポケットに自らのパックを順次落し込むと共に中心駒を最後に入れることを競うものである。
【非特許文献１】杉原正樹編者「カロムロード」２００２年２月１５日サンライズ出版発行
【発明の開示】
【発明が解決しようとする課題】
【０００５】  前記カロムゲームでは、競技開始時に各競技者ごとに２色に色分けされたパックが盤面のセンターサークル上に交互に色違いでリング状に配置される。
このようなパックの配置作業は、各パックの精密な位置決めを要求されるものではないとしても、この配置作業を例えば２名や４名の競技者が適宜分担して行うに際して、各競技者がパックをセンターサークル上に交互に円弧状に適宜配置した複数の配列断片が、最終的にリング状に連結されるときに、その連結部分で隣接するパックが互いに同色となった場合は、それらが互いに異なる色となるように何れかのパックを再配置する。最終的には全てのパックが全体として盤面上のセンターサークルに沿って交互に色違いで規則正しくリング状に整列させる必要がある。【０００６】  従って、前記パックの配置作業は、意外に面倒で時間を要し、さらにパックの最終的な配置状態もセンターサークルに対して幾分乱雑な配置になり勝ちであった。【０００７】  本発明の解決すべき課題は、前記問題点に鑑み各競技者のパックを、競技開始前に盤面のセンターサークル上に２色交互にリング状に配置するに際して、そのパックの配置作業性の向上と、円周上でのすみやかで規則正しい整列状態を可能にするパック配置ガイドを提供することにある。
【課題を解決するための手段】
【０００８】  この発明のカロムのためのパック配置ガイドは、競技開始時に、盤面の中心に表示された中心スポット上に中心駒を配置すると共に、中心スポットの周囲にはそれと同心円的に表示されたセンターサークルに沿って各競技者の識別表示が施され、かつ異なった２色のパックを交互にリング状に規則正しく配置するためのものである。
カロムゲームは、四角形の盤上に形成した攻撃エリアから各競技者の弾き駒を弾いて、前記パック及び中心駒に当てると共に、それらを盤面上の四隅に設けた駒取込みのポケットに入れることを競うゲームである。
パック配置ガイドは、センターサークル部分に各競技者のパックを交互にリング状に配置する際、各パックを内接させ得るような内周面を有するガイド枠と、その内周面に一定の間隔で取り付けた複数個の鋲状突起物とから構成され、円盤状の多数のパックは、この突起物への当りとガイド枠の内周面の案内機能とにより、すみやかに規則正しくリング状に整列させられるものである。【０００９】  競技開始時に、パック配置ガイドは、必要に応じて特定の競技者の識別表示を示すパック用マークが所要の方向を指向するように描かれ、ガイド枠の内周面がセンターサークルをほぼ同心円的にとり囲むように盤面上に置かれ、各競技者のパックが、前記ガイド枠の内周面に、同じ識別表示を示すマーク位置において内接させつつ、センターサークル上に交互にリング状に配置される。その後、前記パック配置ガイドが盤面から取り去られると、各パックは盤面に所定の配列でリング状に規則正しく配置された状態となる。【００１０】  各競技者のパックは、通常のルールでは、各競技者につき１２個、合計で２４個使用される。なお、この発明におけるカロムのためのパック配置ガイドの適用範囲は、既述のような滋賀県の湖東、湖北地方で多用される形態のカロムゲーム盤に限定されるものではなく、その他の態様のカロムゲーム盤にも適用できるものである。【００１１】  パック及びパック用マークに施される各競技者の識別表示としては、赤色と緑色のような２色の色分けにより施されればよいが、そのような色彩による識別表示以外に、必要に応じてルールの許す範囲で模様や模様と色彩との組み合わせ等が採用されてもよい。また、ガイド枠におけるパック用マークは、例えば円形、三角形その他の多角形や＋印、×印等であってもよい。【００１２】  請求項３に記載のパック配置ガイドは、請求項１に記載のガイド枠の外周面に指圧用突起物が設けられたものである。これにより、パック配置ガイドの不使用時にはガイド枠を握ってその外周面の指圧用突起物を自他の腕その他の部分に押し付けることにより、その部分に指圧作用を及ぼすことができる。【００１３】  また、請求項４に記載のパック配置ガイドは、ガイド枠にその厚み方向に複数の穴があけられ、各穴内に鈴が振動を受けて鳴るように設けられたものである。
【発明の効果】
【００１４】  請求項１及び２に記載の発明によれば、競技開始時に各競技者のパックを、ガイド枠の内周面に沿ってパックに対応するパック用マークの位置において内接させつつ、複数個の鋲状突起物間にパックを配置し、ガイド枠を回動させることで、パックがこの突起物への当りとガイド枠の内周面の案内機能とにより、偶数個、例えば２４個の識別表示されたパックがすみやかに規則正しくきれいなリング状に配置することができる。
【発明を実施するための最良の形態】
【００１５】  以下に、本発明を実施例に基いて具体的に説明する。
図１は本発明の実施例１におけるゲーム盤面に載置されたパック配置ガイドの平面図、図２は図１に示すパック配置ガイドを用いて、盤面のセンターサークル上に各競技者のパックを交互に規則正しくリング状に配置した状態の平面図である。【００１６】  図３（Ａ）、（Ｂ）は、実施例２におけるガイド枠の外周面に指圧用突起物が鋲釘の打ち込みにより設けられ、かつ内周面には鋲状突起物を備えたパック配置ガイドの平面図及び側面図である。図４（Ａ）は外周面に指圧用突起物が鋲釘の打ち込みにより設けられ、内周面には鋲状突起物を備えたパック配置ガイドの部分拡大平面図であり、同（Ｂ）はパックの斜視図である。図５は実施例３における穴に鈴を取り付けたパック配置ガイドの部分拡大平面図である。
【実施例１】
【００１７】  図１及び図２においてカロムゲーム盤Ｃには四角形枠１で囲まれた盤面２の四隅にパック落し込み用のポケット３（平行斜線で示す）が盤面下側に段差をおいて設けられ、さらに盤面２の中心には中心駒１１を競技開始時に配置する位置を指示する中心スポット４が表示され、盤面２の中心スポット４周囲には、それと同心円的に各競技者の赤色と緑色の２色に色分けされた識別表示が施されたパック１２ａ、１２ｂを競技開始時に交互にリング状に配置する位置を指示するセンターサークル５が表示されている。盤面２のセンターサークル５の外側には、盤面２の各側辺に沿って、各競技者の弾き駒（図示省略）を発射する位置を指示するエリアライン６が表示され、そのエリアライン６の外側には、盤面２の各側辺に対応して、各競技者の弾き駒を最初に発射する位置を指示するティースポット７ａ、７ｂが表示されている。【００１８】  パック配置ガイドＧは、リング状のガイド枠２１から構成され、このガイド枠２１は盤面２のセンターサークル５上に各競技者のパック１２ａ、１２ｂ（各競技者につき１２個、合計で２４個）が交互にリング状に配置されたときにそのパックを内接させ得るような円形内周面２２を有し、その内周面２２に沿って、各競技者のパック１２ａ、１２ｂを交互にリング状に配置する位置を指示するパック用マーク２４ａ、２４ｂが表示されている。【００１９】  パック用マーク２４ａ、２４ｂには各競技者の赤色と緑色の色分けによる識別表示が施され、各識別表示は、各々９０度間隔で目立つように強化されている。そのように強化された異種の識別表示どうしは４５度の間隔で配置されている。なお、必要に応じて前記パック用マークには、各競技者の赤色と緑色の色分けによる識別表示がその一部に、例えば二つ置きに施されていてもよい。【００２０】  競技開始時には、前記パック配置ガイドＧが、図１に示すように、ガイド枠２１の内周面２２がセンターサークル５をほぼ同心円的に取り囲むように盤面２に置かれる。続いて各競技者のパック１２ａ、１２ｂが、図２に示すように、ガイド枠２１の内周面２２に同じ赤色及び緑色の識別表示を示す各パック用マーク２４ａ、２４ｂの位置において内接させつつ、センターサークル５上に交互にリング状に配置される。その後、パック配置ガイドＧを回動させて鋲状突起物２９をパックに当てガイド枠の内周に沿って整列させる。ついでガイドＧを盤面２から取り去ると、前記の各競技者のパック１２ａ、１２ｂが確実にセンターサークル５上に交互に規則正しくリング状に配置された状態となる。また、競技開始時には、さらに中心駒１１が中心スポット４上に配置される。
【実施例２】
【００２１】  図３（Ａ）及び（Ｂ）においてパック配置ガイドＧは、ガイド枠２１の外周面２３に指圧用突起物２５が鋲釘の打ち込みにより設けられている。同時に図３（Ａ）に示すように、ガイド枠２１の内周面２２に鋲状突起物２９を取り付けている。図４（Ａ）及び（Ｂ）はパック配置ガイドＧのガイド枠２１の内周面２２に鋲状突起物２９が取り付けられている状態を示し、同（Ｂ）には整列させるパック１２ａ、１２ｂのおおよその外形形状を示している。
【実施例３】
【００２２】  図５はパック配置ガイドＧのガイド枠２１にあけた穴２６に、紐２８で鈴２７が取り付けられた状態を示す。
【図面の簡単な説明】
【００２３】
【図１】本発明の実施例１におけるカロムゲーム盤上にパック配置ガイドを置いた状態の平面図である。
【図２】図１に示すパック配置ガイドを用いて盤面のセンターサークル上にパックをリング状に規則正しく配置した状態の平面図である。
【図３】（Ａ）、（Ｂ）は、指圧用突起物及び鋲状突起物を備えたパック配置ガイドの平面図及び正面図である。
【図４】（Ａ）は前記の鋲状突起物をもったパック配置ガイドの部分拡大平面図、（Ｂ）はパックの外形形状を示す斜視図である。
【図５】鈴を取り付けたパック配置ガイドの部分拡大平面図である。
【符号の説明】
【００２４】Ｃ  カロムゲーム盤
Ｇ  パック配置ガイド
１  四角形枠
２  盤面
３  ポケット
４  中心スポット
５  センターサークル
６  エリアライン
７ａ、７ｂ  ティースポット
１１  中心駒
１２ａ、１２ｂ  パック
２１  リング状のガイド枠
２２  内周面
２３  外周面
２４ａ、２４ｂ  パック用マーク
２５  指圧用突起物
２６  穴
２７  鈴
２８  取付け具
２９  鋲状突起物
【図１】
0004395849.tif 000002
【図２】
0004395849.tif 000003
【図３】
0004395849.tif 000004
【図５】
0004395849.tif 000005
【図４】
0004395849.tif 000006